(57)【要約】【課題】  表示体が鮮明で、安価であると共に、搬送が容易で、且つ、表示体形成時の保持の容易なラベル、及びこのラベルの貼着方法を提供する。【解決手段】  本発明のラベルは、透明なシート２と、このシート２の少なくとも下面中央部に露出下面２ａを形成する空間部３ａを有し、露出下面２ａを除くシート２の下面に貼着された貼着材３とを有し、シート２の露出下面２ａには、空間部３ａを通して表示体４の形成を可能としたため、表示体４がシートに直接形成できて、表示体４の鮮明なものが得られると共に、貼着材３は不透明な安価な材料が使用できて、安価なものが得られる。【選択図】        図２５
2006039309.tif 000002
【特許請求の範囲】
【請求項１】
透明なシートと、このシートの少なくとも下面中央部に露出下面を形成する空間部を有し、前記露出下面を除く前記シートの下面に貼着された貼着材とを有し、前記シートの前記露出下面には、前記空間部を通して表示体の形成を可能としたことを特徴とするラベル。
【請求項２】
前記貼着材の下面には、剥がし可能に貼着された剥離シートを有し、この剥離シートには、前記貼着材の前記空間部と対向した位置に孔が設けられ、前記シートの前記露出下面には、前記孔と前記空間部を通して前記表示体の形成を可能としたことを特徴とする請求項１記載のラベル。
【請求項３】
前記空間部に対向した前記孔を有する大判の前記剥離シートを備え、この大判剥離シートには、前記シートの外周から出っ張る余裕代部を持たせた状態で、前記シートが前記貼着材によって貼着されると共に、前記シートが前記粘着材を伴って前記大判剥離シートから剥がし可能としたことを特徴とする請求項２記載のラベル。
【請求項４】
前記大判剥離シートには、複数の前記シートが互いに間隔を置いて配置されたことを特徴とする請求項３記載のラベル。
【請求項５】
前記空間部に対向した前記孔を有する帯状の前記剥離シートを備え、この帯状剥離シートには、一列状態に配置された複数の前記シートが互いに間隔を置いて前記貼着材によって貼着されると共に、前記シートが前記粘着材を伴って前記帯状剥離シートから剥がし可能としたことを特徴とする請求項２記載のラベル。
【請求項６】
透明な大判シートを備え、この大判シートは、前記シートを形成するためのシート形成部と、このシート形成部の外周に設けられた余裕代部を有し、前記大判シートの下面には、前記シート形成部の下面中央部に設けられた前記露出下面と対向する位置に前記空間部を配置した状態で、前記露出下面を除く箇所に前記貼着材が設けられると共に、前記貼着材の下面には、大判の前記剥離シートが前記孔を前記空間部に対向させた状態で貼着され、前記大判シートと前記貼着材には、前記シート形成部の外周に沿って切り目部が設けられ、前記シート形成部は、前記貼着材を伴って、前記切り目部に沿って前記大判剥離シートから剥がし可能としたことを特徴とする請求項２記載のラベル。
【請求項７】
前記大判シートは、複数の前記シート形成部を有すると共に、前記大判シートの下面には、それぞれの前記シート形成部の前記露出下面と対向した位置に前記空間部を設けた前記貼着材が設けられ、前記貼着材の下面には、それぞれの前記空間部に対向した前記孔を設けた前記大判剥離シートが貼着されたことを特徴とする請求項６記載のラベル。
【請求項８】
透明な帯状シートを備え、この帯状シートは、前記シートを形成するための一列状態に配置された複数の前記シート形成部と、このシート形成部の外周に設けられた余裕代部を有し、前記帯状シートの下面には、それぞれの前記シート形成部の下面中央部に設けられた前記露出下面と対向する位置に前記空間部を有した状態で、前記露出下面を除く箇所に前記貼着材が設けられると共に、前記貼着材の下面には、それぞれの前記空間部と対向する前記孔を有した状態で、帯状の前記剥離シートが貼着され、前記帯状シートと前記貼着材には、前記シート形成部の外周に沿って切り目部が設けられ、前記シート形成部は、前記貼着材を伴って、前記切り目部に沿って前記帯状剥離シートから剥がし可能としたことを特徴とする請求項２記載のラベル。
【請求項９】
前記剥離シートの下面には塞ぎシートが貼着されて、前記露出下面と共に前記孔を塞ぐようにしたことを特徴とする請求項２から８の何れかに記載のラベル。
【請求項１０】
請求項１記載のラベルと、このラベルが貼着される物品とを備え、前記シートの前記露出下面には、前記貼着材の前記空間部を通して前記表示体が形成され、しかる後、前記ラベルが前記貼着材によって前記物品に貼着されたことを特徴とする貼着方法。
【請求項１１】
請求項２記載のラベルと、このラベルが貼着される物品とを備え、前記シートの前記露出下面には、前記剥離シートの前記孔と前記貼着材の前記空間部を通して前記表示体が形成され、しかる後、前記シートが前記貼着材を伴って前記剥離シートから剥がされた後、前記ラベルが前記貼着材によって前記物品に貼着されたことを特徴とする貼着方法。
【請求項１２】
前記ラベルは、前記剥離シートの下面に貼着され、前記露出下面と共に前記孔を塞ぐ塞ぎシートを有し、前記塞ぎシートが前記剥離シートから剥がされた後、前記シートの前記露出下面には、前記剥離シートの前記孔と前記貼着材の前記空間部を通して前記表示体が形成されたことを特徴とする請求項１１記載の貼着方法。
【請求項１３】
請求項３，又は４記載のラベルと、このラベルが貼着される物品とを備え、前記シートの前記露出下面には、前記大判剥離シートの前記孔と前記貼着材の前記空間部を通して前記表示体が形成され、しかる後、前記シートが前記貼着材を伴って前記大判剥離シートから剥がされた後、前記ラベルが前記貼着材によって前記物品に貼着されたことを特徴とする貼着方法。
【請求項１４】
前記ラベルは、前記大判剥離シートの下面に貼着され、前記露出下面と共に前記孔を塞ぐ塞ぎシートを有し、前記塞ぎシートが前記大判剥離シートから剥がされた後、前記シートの前記露出下面には、前記大判剥離シートの前記孔と前記貼着材の前記空間部を通して前記表示体が形成されたことを特徴とする請求項１３記載の貼着方法。
【請求項１５】
請求項５記載のラベルと、このラベルが貼着される物品とを備え、前記シートの前記露出下面には、前記帯状剥離シートの前記孔と前記貼着材の前記空間部を通して前記表示体が形成され、しかる後、前記シートが前記貼着材を伴って前記帯状剥離シートから剥がされた後、前記ラベルが前記貼着材によって前記物品に貼着されたことを特徴とする貼着方法。
【請求項１６】
請求項６，又は７記載のラベルと、このラベルが貼着される物品とを備え、前記シート形成部の前記露出下面には、前記大判剥離シートの前記孔と前記貼着材の前記空間部を通して前記表示体が形成され、しかる後、前記シート形成部が前記貼着材を伴って、前記切り目部に沿って前記大判剥離シートから剥がされた後、前記シート形成部からなる前記ラベルが前記貼着材によって前記物品に貼着されたことを特徴とする貼着方法。
【請求項１７】
前記ラベルは、前記大判剥離シートの下面に貼着され、前記露出下面と共に前記孔を塞ぐ塞ぎシートを有し、前記塞ぎシートが前記大判剥離シートから剥がされた後、前記シート形成部の前記露出下面には、前記大判剥離シートの前記孔と前記貼着材の前記空間部を通して前記表示体が形成されたことを特徴とする請求項１６記載の貼着方法。
【請求項１８】
請求項８記載のラベルと、このラベルが貼着される物品とを備え、前記シート形成部の前記露出下面には、前記帯状剥離シートの前記孔と前記貼着材の前記空間部を通して前記表示体が形成され、しかる後、前記シート形成部が前記貼着材を伴って、前記切り目部に沿って前記帯状剥離シートから剥がされた後、前記シート形成部からなる前記ラベルが前記貼着材によって前記物品に貼着されたことを特徴とする貼着方法。
【発明の詳細な説明】
【技術分野】
【０００１】
本発明は種々の物品に貼着されるラベル、及びこのラベルの貼着方法に関する。
【背景技術】
【０００２】
図２６は従来のラベルの断面図、図２７は従来のラベルの貼着方法を示す断面図であり、次に、従来のラベルの構成を図２６に基づいて説明すると、ラベル５１は、平板状の透明なシート５２と、このシート５２の下面全面に設けられた透明な材料からなる接着材５３と、この接着材５３の下面に印刷によって設けられた文字等の表示体５４とで構成されている。（例えば、特許文献１参照）
【０００３】
そして、このような従来のラベルは、表示体５４が接着材５３の下面に直接設けられているため、表示体５４に滲みが生じるばかりか、比較的高い材料である透明な接着材５３を必要として、コスト高になる上に、接着材５３が露出した状態となっているため、ラベル５１の搬送時において、接着材５３に埃等が付着して表示体５４の質を損ねたり、或いは他の物品との貼着防止手段を採らねばならず、ラベル５１の搬送が面倒になるものであった。
【０００４】
次に、従来のラベルの貼着方法を図２７に基づいて説明すると、先ず、透明な接着材５３の下面に所望の表示体５４を形成した後、表示体５４を物品５５の表面に接触させると共に、接着材５３の下面を物品５５の表面に押し当てることによって、ラベル５１が接着材５３によって物品５５に貼着されるようになっている。（例えば、特許文献１参照）
【０００５】
そして、このような従来のラベルの貼着方法は、表示体５４が接着材５３の下面に直接設けられているため、表示体５４に滲みが生じるばかりか、物品５５の表面に凹凸部が存在すると、表示体５４も凹凸状態となって、表示体５４を判読しづらくなる上に、接着材５４の下面が露出しているため、表示体５４形成時のラベル５２の保持手段が面倒になる。
【０００６】
【特許文献１】特開２００２−３５１３２３号公報
【発明の開示】
【発明が解決しようとする課題】
【０００７】
従来のラベルは、表示体５４が接着材５３の下面に直接設けられているため、表示体５４に滲みが生じるばかりか、比較的高い材料である透明な接着材５３を必要として、コスト高になる上に、接着材５３が露出した状態となっているため、ラベル５１の搬送時において、接着材５３に埃等が付着して表示体５４の質を損ねたり、或いは他の物品との貼着防止手段を採らねばならず、ラベル５１の搬送が面倒になるという問題がある。
【０００８】
従来のラベルの貼着方法は、表示体５４が接着材５３の下面に直接設けられているため、表示体５４に滲みが生じるばかりか、物品５５の表面に凹凸部が存在すると、表示体５４も凹凸状態となって、表示体５４を判読しづらくなる上に、接着材５４の下面が露出しているため、表示体５４形成時のラベル５２の保持手段が面倒になるという問題がある。
【０００９】
そこで、本発明は表示体が鮮明で、安価であると共に、搬送が容易で、且つ、表示体形成時の保持の容易なラベル、及びこのラベルの貼着方法を提供することを目的とする。
【課題を解決するための手段】
【００１０】
上記課題を解決するための第１の解決手段として、透明なシートと、このシートの少なくとも下面中央部に露出下面を形成する空間部を有し、前記露出下面を除く前記シートの下面に貼着された貼着材とを有し、前記シートの前記露出下面には、前記空間部を通して表示体の形成を可能とした構成とした。
【００１１】
また、第２の解決手段として、前記貼着材の下面には、剥がし可能に貼着された剥離シートを有し、この剥離シートには、前記貼着材の前記空間部と対向した位置に孔が設けられ、前記シートの前記露出下面には、前記孔と前記空間部を通して前記表示体の形成を可能とした構成とした。
【００１２】
また、第３の解決手段として、前記空間部に対向した前記孔を有する大判の前記剥離シートを備え、この大判剥離シートには、前記シートの外周から出っ張る余裕代部を持たせた状態で、前記シートが前記貼着材によって貼着されると共に、前記シートが前記粘着材を伴って前記大判剥離シートから剥がし可能とした構成とした。
また、第４の解決手段として、前記大判剥離シートには、複数の前記シートが互いに間隔を置いて配置された構成とした。
【００１３】
また、第５の解決手段として、前記空間部に対向した前記孔を有する帯状の前記剥離シートを備え、この帯状剥離シートには、一列状態に配置された複数の前記シートが互いに間隔を置いて前記貼着材によって貼着されると共に、前記シートが前記粘着材を伴って前記帯状剥離シートから剥がし可能とした構成とした。
【００１４】
また、第６の解決手段として、透明な大判シートを備え、この大判シートは、前記シートを形成するためのシート形成部と、このシート形成部の外周に設けられた余裕代部を有し、前記大判シートの下面には、前記シート形成部の下面中央部に設けられた前記露出下面と対向する位置に前記空間部を配置した状態で、前記露出下面を除く箇所に前記貼着材が設けられると共に、前記貼着材の下面には、大判の前記剥離シートが前記孔を前記空間部に対向させた状態で貼着され、前記大判シートと前記貼着材には、前記シート形成部の外周に沿って切り目部が設けられ、前記シート形成部は、前記貼着材を伴って、前記切り目部に沿って前記大判剥離シートから剥がし可能とした構成とした。
【００１５】
また、第７の解決手段として、前記大判シートは、複数の前記シート形成部を有すると共に、前記大判シートの下面には、それぞれの前記シート形成部の前記露出下面と対向した位置に前記空間部を設けた前記貼着材が設けられ、前記貼着材の下面には、それぞれの前記空間部に対向した前記孔を設けた前記大判剥離シートが貼着された構成とした。
【００１６】
また、第８の解決手段として、透明な帯状シートを備え、この帯状シートは、前記シートを形成するための一列状態に配置された複数の前記シート形成部と、このシート形成部の外周に設けられた余裕代部を有し、前記帯状シートの下面には、それぞれの前記シート形成部の下面中央部に設けられた前記露出下面と対向する位置に前記空間部を有した状態で、前記露出下面を除く箇所に前記貼着材が設けられると共に、前記貼着材の下面には、それぞれの前記空間部と対向する前記孔を有した状態で、帯状の前記剥離シートが貼着され、前記帯状シートと前記貼着材には、前記シート形成部の外周に沿って切り目部が設けられ、前記シート形成部は、前記貼着材を伴って、前記切り目部に沿って前記帯状剥離シートから剥がし可能とした構成とした。
【００１７】
また、第９の解決手段として、前記剥離シートの下面には塞ぎシートが貼着されて、前記露出下面と共に前記孔を塞ぐようにした構成とした。
【００１８】
また、第１０の解決手段として、請求項１記載のラベルと、このラベルが貼着される物品とを備え、前記シートの前記露出下面には、前記貼着材の前記空間部を通して前記表示体が形成され、しかる後、前記ラベルが前記貼着材によって前記物品に貼着された貼着方法とした。
【００１９】
また、第１１の解決手段として、請求項２記載のラベルと、このラベルが貼着される物品とを備え、前記シートの前記露出下面には、前記剥離シートの前記孔と前記貼着材の前記空間部を通して前記表示体が形成され、しかる後、前記シートが前記貼着材を伴って前記剥離シートから剥がされた後、前記ラベルが前記貼着材によって前記物品に貼着された貼着方法とした。
【００２０】
また、第１２の解決手段として、前記ラベルは、前記剥離シートの下面に貼着され、前記露出下面と共に前記孔を塞ぐ塞ぎシートを有し、前記塞ぎシートが前記剥離シートから剥がされた後、前記シートの前記露出下面には、前記剥離シートの前記孔と前記貼着材の前記空間部を通して前記表示体が形成された貼着方法とした。
【００２１】
また、第１３の解決手段として、請求項３，又は４記載のラベルと、このラベルが貼着される物品とを備え、前記シートの前記露出下面には、前記大判剥離シートの前記孔と前記貼着材の前記空間部を通して前記表示体が形成され、しかる後、前記シートが前記貼着材を伴って前記大判剥離シートから剥がされた後、前記ラベルが前記貼着材によって前記物品に貼着された貼着方法とした。
【００２２】
また、第１４の解決手段として、前記ラベルは、前記大判剥離シートの下面に貼着され、前記露出下面と共に前記孔を塞ぐ塞ぎシートを有し、前記塞ぎシートが前記大判剥離シートから剥がされた後、前記シートの前記露出下面には、前記大判剥離シートの前記孔と前記貼着材の前記空間部を通して前記表示体が形成された貼着方法とした。
【００２３】
また、第１５の解決手段として、請求項５記載のラベルと、このラベルが貼着される物品とを備え、前記シートの前記露出下面には、前記帯状剥離シートの前記孔と前記貼着材の前記空間部を通して前記表示体が形成され、しかる後、前記シートが前記貼着材を伴って前記帯状剥離シートから剥がされた後、前記ラベルが前記貼着材によって前記物品に貼着された貼着方法とした。
【００２４】
また、第１６の解決手段として、請求項６，又は７記載のラベルと、このラベルが貼着される物品とを備え、前記シート形成部の前記露出下面には、前記大判剥離シートの前記孔と前記貼着材の前記空間部を通して前記表示体が形成され、しかる後、前記シート形成部が前記貼着材を伴って、前記切り目部に沿って前記大判剥離シートから剥がされた後、前記シート形成部からなる前記ラベルが前記貼着材によって前記物品に貼着された貼着方法とした。
【００２５】
また、第１７の解決手段として、前記ラベルは、前記大判剥離シートの下面に貼着され、前記露出下面と共に前記孔を塞ぐ塞ぎシートを有し、前記塞ぎシートが前記大判剥離シートから剥がされた後、前記シート形成部の前記露出下面には、前記大判剥離シートの前記孔と前記貼着材の前記空間部を通して前記表示体が形成された貼着方法とした。
【００２６】
また、第１８の解決手段として、請求項８記載のラベルと、このラベルが貼着される物品とを備え、前記シート形成部の前記露出下面には、前記帯状剥離シートの前記孔と前記貼着材の前記空間部を通して前記表示体が形成され、しかる後、前記シート形成部が前記貼着材を伴って、前記切り目部に沿って前記帯状剥離シートから剥がされた後、前記シート形成部からなる前記ラベルが前記貼着材によって前記物品に貼着された貼着方法とした。
【発明の効果】
【００２７】
本発明のラベルは、透明なシートと、このシートの少なくとも下面中央部に露出下面を形成する空間部を有し、露出下面を除くシートの下面に貼着された貼着材とを有し、シートの露出下面には、空間部を通して表示体の形成を可能としたため、表示体がシートに直接形成できて、表示体の鮮明なものが得られると共に、貼着材は不透明な安価な材料が使用できて、安価なものが得られる。
【００２８】
また、貼着材の下面には、剥がし可能に貼着された剥離シートを有し、この剥離シートには、貼着材の空間部と対向した位置に孔が設けられ、シートの露出下面には、孔と空間部を通して表示体の形成を可能としたため、剥離シートによって貼着材の下面を覆うことができ、ラベルの搬送が容易であると共に、表示体形成時、貼着材の下面を覆った剥離シートの位置において、治具等によるラベル保持手段を配置でき、表示体形成時のラベルの保持が簡単、容易にできる。
【００２９】
また、空間部に対向した孔を有する大判の剥離シートを備え、この大判剥離シートには、シートの外周から出っ張る余裕代部を持たせた状態で、シートが貼着材によって貼着されると共に、シートが粘着材を伴って大判剥離シートから剥がし可能としたため、表示体形成時の保持を余裕代部の位置で行うことができると共に、大判剥離シートからのシートの剥がしの容易なものが得られる。
【００３０】
また、大判剥離シートには、複数のシートが互いに間隔を置いて配置されたため、複数のシートへの表示体が同時に形成できて、作業性の良好なものが得られる。
【００３１】
また、空間部に対向した孔を有する帯状の剥離シートを備え、この帯状剥離シートには、一列状態に配置された複数のシートが互いに間隔を置いて貼着材によって貼着されると共に、シートが粘着材を伴って帯状剥離シートから剥がし可能としたため、表示体形成が一列状態で連続的にできて、生産性の良好なものが得られる。
【００３２】
また、透明な大判シートを備え、この大判シートは、シートを形成するためのシート形成部と、このシート形成部の外周に設けられた余裕代部を有し、大判シートの下面には、シート形成部の下面中央部に設けられた露出下面と対向する位置に空間部を配置した状態で、露出下面を除く箇所に貼着材が設けられると共に、貼着材の下面には、剥離シートが孔を空間部に対向させた状態で貼着され、大判シートと貼着材には、シート形成部の外周に沿って切り目部が設けられ、シート形成部は、貼着材を伴って、切り目部に沿って剥離シートから剥がし可能としたため、シート形成部が貼着材を伴って、大判シートから容易に剥がしができると共に、大判シートには余裕代部が設けられているため、表示体形成時の保持を余裕代部の位置で行うことができ、シート形成部の傷付を防止できる上に、シート形成部の外形が種々変更されても、大判シートを共通化でき、従って、表示体形成時の保持手段の共用化が図れる。
【００３３】
また、大判シートは、複数のシート形成部を有すると共に、大判シートの下面には、それぞれのシート形成部の露出下面と対向した位置に空間部を設けた貼着材が設けられ、貼着材の下面には、それぞれの空間部に対向した孔を設けた剥離シートが貼着されたため、ラベルの多数個採りができると共に、表示体の形成が複数個同時、又は連続して行えて、安価なものが得られる。
【００３４】
また、透明な帯状シートを備え、この帯状シートは、シートを形成するための一列状態に配置された複数のシート形成部と、このシート形成部の外周に設けられた余裕代部を有し、帯状シートの下面には、それぞれのシート形成部の下面中央部に設けられた露出下面と対向する位置に空間部を有した状態で、露出下面を除く箇所に貼着材が設けられると共に、貼着材の下面には、それぞれの空間部と対向する孔を有した状態で、剥離シートが貼着され、帯状シートと貼着材には、シート形成部の外周に沿って切り目部が設けられ、シート形成部は、貼着材を伴って、切り目部に沿って剥離シートから剥がし可能としたため、ラベルの多数個採りができると共に、表示体の形成が連続して行えて、安価なものが得られる。
【００３５】
また、剥離シートの下面には塞ぎシートが貼着されて、露出下面と共に孔を塞ぐようにしたため、ラベルの搬送途上等における露出下面への埃等の付着が塞ぎシートで防止できて、鮮明な表示体の形成ができる。
【００３６】
また、ラベルと、このラベルが貼着される物品とを備え、シートの露出下面には、貼着材の空間部を通して表示体が形成され、しかる後、ラベルが貼着材によって物品に貼着されたため、表示体がシートに直接形成されるため、表示体の鮮明なものが得られると共に、シートに形成された表示体が物品の表面から離れているため、物品の表面の凹凸部に関係なく、表示体が鮮明で判読し易いものが得られる。
【００３７】
また、ラベルと、このラベルが貼着される物品とを備え、シートの露出下面には、剥離シートの孔と貼着材の空間部を通して表示体が形成され、しかる後、剥離シートが貼着材から剥がされた後、ラベルが貼着材によって物品に貼着されたため、剥離シートによって貼着材の下面を覆うことができ、ラベルの搬送が容易であると共に、表示体形成時、貼着材の下面を覆った剥離シートの位置において、治具等によるラベル保持手段を配置でき、表示体形成時のラベルの保持が簡単、容易にできる。
【００３８】
また、ラベルは、剥離シートの下面に貼着され、露出下面と共に孔を塞ぐ塞ぎシートを有し、塞ぎシートが剥離シートから剥がされた後、シートの露出下面には、剥離シートの孔と貼着材の空間部を通して表示体が形成されたため、ラベルの搬送途上等における露出下面への埃等の付着が塞ぎシートで防止できて、鮮明な表示体の形成ができる。
【００３９】
また、ラベルと、このラベルが貼着される物品とを備え、シートの露出下面には、大判剥離シートの孔と貼着材の空間部を通して表示体が形成され、しかる後、シートが貼着材を伴って大判剥離シートから剥がされた後、ラベルが貼着材によって物品に貼着されたため、剥離シートによって貼着材の下面を覆うことができ、ラベルの搬送が容易であると共に、表示体形成時、貼着材の下面を覆った剥離シートの位置において、治具等によるラベル保持手段を配置でき、表示体形成時のラベルの保持が簡単、容易にできる。
【００４０】
また、ラベルは、大判剥離シートの下面に貼着され、露出下面と共に孔を塞ぐ塞ぎシートを有し、塞ぎシートが大判剥離シートから剥がされた後、シートの露出下面には、大判剥離シートの孔と貼着材の空間部を通して表示体が形成されたため、ラベルの搬送途上等における露出下面への埃等の付着が塞ぎシートで防止できて、鮮明な表示体の形成ができる。
【００４１】
また、ラベルと、このラベルが貼着される物品とを備え、シートの露出下面には、帯状剥離シートの孔と貼着材の空間部を通して表示体が形成され、しかる後、シートが貼着材を伴って帯状剥離シートから剥がされた後、ラベルが貼着材によって物品に貼着されたため、ラベルの多数個採りができると共に、表示体の形成が連続して行えて、安価なものが得られる。
【００４２】
また、ラベルと、このラベルが貼着される物品とを備え、シート形成部の露出下面には、大判剥離シートの孔と貼着材の空間部を通して表示体が形成され、しかる後、シート形成部が貼着材を伴って、切り目部に沿って大判剥離シートから剥がされた後、シート形成部からなるラベルが貼着材によって物品に貼着されたため、シート形成部が貼着材を伴って、大判シートから容易に剥がしができると共に、大判シートには余裕代部が設けられているため、表示体形成時の保持を余裕代部の位置で行うことができ、シート形成部の傷付を防止できる上に、シート形成部の外形が種々変更されても、大判シートを共通化でき、従って、表示体形成時の保持手段の共用化が図れる。
【００４３】
また、ラベルは、大判剥離シートの下面に貼着され、露出下面と共に孔を塞ぐ塞ぎシートを有し、塞ぎシートが大判剥離シートから剥がされた後、シート形成部の露出下面には、大判剥離シートの孔と貼着材の空間部を通して表示体が形成されたため、ラベルの搬送途上等における露出下面への埃等の付着が塞ぎシートで防止できて、鮮明な表示体の形成ができる。
【００４４】
また、ラベルと、このラベルが貼着される物品とを備え、シート形成部の露出下面には、帯状剥離シートの孔と貼着材の空間部を通して表示体が形成され、しかる後、シート形成部が貼着材を伴って、切り目部に沿って帯状剥離シートから剥がされた後、シート形成部からなるラベルが貼着材によって物品に貼着されたため、帯状シートには余裕代部が設けられているため、表示体形成時の保持を余裕代部の位置で行うことができ、シート形成部の傷付を防止できる上に、シート形成部の外形が種々変更されても、帯状シートを共通化でき、従って、表示体形成時の保持手段の共用化が図れる。
【発明を実施するための最良の形態】
【００４５】
本発明のラベル、及びこのラベルの貼着方法の図面を説明すると、図１は本発明のラベルの第１実施例を示す平面図、図２は本発明のラベルの第１実施例を示す下面図、図３は本発明のラベルの第１実施例に係る断面図、図４は本発明のラベルの第２実施例を示す下面図、図５は本発明のラベルの第２実施例に係る断面図、図６は本発明のラベルの第３実施例を示す平面図、図７は本発明のラベルの第３実施例を示す下面図、図８は本発明のラベルの第３実施例に係る断面図である。
【００４６】
また、図９は本発明のラベルの第４実施例を示す平面図、図１０は本発明のラベルの第４実施例を示す下面図、図１１は本発明のラベルの第４実施例に係る断面図、図１２は本発明のラベルの第５実施例を示す平面図、図１３は本発明のラベルの第５実施例を示す下面図、図１４は本発明のラベルの第５実施例に係る断面図である。
【００４７】
また、図１５は本発明のラベルの第６実施例を示す平面図、図１６は本発明のラベルの第６実施例を示す下面図、図１７は本発明のラベルの第６実施例に係る断面図、図１８は本発明のラベルの第７実施例を示す平面図、図１９は本発明のラベルの第７実施例を示す下面図、図２０は本発明のラベルの第７実施例に係る断面図である。
【００４８】
また、図２１は本発明のラベルの第８実施例を示す平面図、図２２は本発明のラベルの第８実施例を示す下面図、図２３は本発明のラベルの第８実施例に係る断面図、図２４は本発明のラベルの貼着方法を示す要部の平面図、図２５は本発明のラベルの貼着方法を示す要部の断面図である。
【００４９】
次に、本発明のラベルの第１実施例に係る構成を図１〜図３に基づいて説明すると、ラベル１は、プラスチックフイルム等からなる平板状の透明なシート２と、このシート２の少なくとも下面中央部に露出下面２ａを形成する空間部３ａを有し、露出下面２ａを除くシート２の下面全面、或いは下面に点在して貼着された貼着材３とを有している。
【００５０】
そして、シート２の露出下面２ａには、空間部３ａを通して、印刷等によって文字、記号、絵柄、バーコード等からなる表示体４の形成が可能となっており、表示体４が形成されたシート２は、後述するように、貼着材３によって物品Ａに貼着可能となっている。
【００５１】
また、図４，図５は本発明のラベルの第２実施例を示し、この第２実施例の構成を説明すると、貼着材３の下面には、剥がし可能に貼着された紙等からなる剥離シート５を有し、この剥離シート５には、貼着材３の空間部３ａと対向した位置に孔５ａが設けられている。
その他の構成は、上記第１実施例と同様であるので、同一部品に同一番号を付し、ここではその説明を省略する。
【００５２】
そして、この第２実施例では、シート２の露出下面２ａには、孔５ａと空間部３ａを通して表示体４の形成が可能であると共に、シート２が貼着材３を伴って剥離シート５から剥がされた後、表示体４が形成されたシート２は、後述するように、貼着材３によって物品Ａに貼着可能となっている。
【００５３】
なお、ここでは図示しないが、剥離シート５の下面には塞ぎシートが貼着されて、露出下面２ａと共に孔５ａを塞ぐようにしても良い。
【００５４】
また、図６〜図８は本発明のラベルの第３実施例を示し、この第３実施例の構成を説明すると、貼着材３の下面には、剥がし可能に貼着された紙等からなる大判の剥離シート５を有し、この大判剥離シート５には、貼着材３の空間部３ａと対向した位置に孔５ａが設けられていると共に、シート２の外周から出っ張る余裕代部５ｂを持たせた状態となっている。
その他の構成は、上記第２実施例と同様であるので、同一部品に同一番号を付し、ここではその説明を省略する。
【００５５】
そして、この第３実施例では、シート２の露出下面２ａには、孔５ａと空間部３ａを通して表示体４の形成が可能であると共に、シート２が貼着材３を伴って大判剥離シート５から剥がされた後、表示体４が形成されたシート２は、後述するように、貼着材３によって物品Ａに貼着可能となっている。
【００５６】
なお、ここでは図示しないが、大判剥離シート５の下面には塞ぎシートが貼着されて、露出下面２ａと共に孔５ａを塞ぐようにしても良い。
【００５７】
また、図９〜図１１は本発明のラベルの第４実施例を示し、この第４実施例の構成を説明すると、大判剥離シート５には、複数のシート２が互いに間隔を置いて余裕代部５ｂを持たせた状態で配置されている。
その他の構成は、上記第４実施例と同様であるので、同一部品に同一番号を付し、ここではその説明を省略する。
【００５８】
そして、この第４実施例では、シート２の露出下面２ａには、それぞれのシート２に対応して大判剥離シート５に設けられた孔５ａと空間部３ａを通して表示体４の形成が可能であると共に、シート２が貼着材３を伴って大判剥離シート５から剥がされた後、表示体４が形成されたシート２は、後述するように、貼着材３によって物品Ａに貼着可能となっている。
【００５９】
なお、ここでは図示しないが、大判剥離シート５の下面には塞ぎシートが貼着されて、露出下面２ａと共に孔５ａを塞ぐようにしても良い。
【００６０】
また、図１２〜図１４は本発明のラベルの第５実施例を示し、この第５実施例の構成を説明すると、貼着材３の下面には、剥がし可能に貼着された紙等からなる帯状の剥離シート５を有し、この帯状剥離シート５には、一列状態に配置された複数のシート２が互いに間隔を置いて余裕代部５ｂを持って貼着材３によって貼着されると共に、空間部３ａと対向した位置に孔５ａが設けられている。
その他の構成は、上記第２実施例と同様であるので、同一部品に同一番号を付し、ここではその説明を省略する。
【００６１】
そして、この第５実施例では、シート２の露出下面２ａには、孔５ａと空間部３ａを通して表示体４の形成が可能であると共に、シート２が貼着材３を伴って帯状剥離シート５から剥がされた後、表示体４が形成されたシート２は、後述するように、貼着材３によって物品Ａに貼着可能となっている。
【００６２】
なお、この第５実施例では、シート２を貼着した帯状剥離シート５が渦巻き状に巻かれた状態で、搬送されるようになっており、従って、塞ぎシートを無くしても良いが、場合によっては、帯状剥離シート５の下面には塞ぎシートが貼着されて、露出下面２ａと共に孔５ａを塞ぐようにしても良い。
【００６３】
また、図１５〜図１７は本発明のラベルの第６実施例を示し、この第６実施例の構成を説明すると、ラベル１は、透明な大判シート１１を備え、この大判シート１１は、シート２を形成するためのシート形成部１２ａと、このシート形成部１２ａの外周に設けられた余裕代部１２ｂを有し、大判シート１１の下面には、シート形成部１２ａの下面中央部に設けられた露出下面１２ｃと対向する位置に空間部３ａを配置した状態で、露出下面１２ｃを除く箇所に貼着材３が設けられると共に、貼着材３の下面には、大判の剥離シート５が孔５ａを空間部３ａに対向させた状態で貼着され、大判シート１１と貼着材３には、シート形成部１２ａの外周に沿って切り目部１３が設けられ、シート形成部１２ａは、貼着材３を伴って、切り目部１３に沿って大判剥離シート５から剥がし可能となっている。
【００６４】
その他の構成は、上記第２実施例と同様であるので、同一部品に同一番号を付し、ここではその説明を省略する。
そして、この第６実施例では、シート形成部１２ａの露出下面１２ｃには、孔５ａと空間部３ａを通して表示体４の形成が可能であると共に、切り目部１３に沿って、貼着材３を伴ってシート形成部１２ａが大判剥離シート５から剥がされた後、表示体４が形成されたシート形成部１２ａは、後述するように、貼着材３によって物品Ａに貼着可能となっている。
【００６５】
なお、ここでは図示しないが、大判剥離シート５の下面には塞ぎシートが貼着されて、露出下面１２ｃと共に孔５ａを塞ぐようにしても良い。
【００６６】
また、図１８〜図２０は本発明のラベルの第７実施例を示し、この第７実施例の構成を説明すると、大判シート１１は、複数のシート形成部１２ａを有すると共に、大判シート１１の下面には、それぞれのシート形成部１２ａの露出下面１２ｃと対向した位置に空間部３ａを設けた貼着材３が設けられ、貼着材３の下面には、それぞれの空間部３ａに対向した孔５ａを設けた大判剥離シート５が貼着されたものである。
【００６７】
その他の構成は、上記第６実施例と同様であるので、同一部品に同一番号を付し、ここではその説明を省略する。
そして、この第７実施例では前記第６実施例と同様に、シート形成部１２ａの露出下面１２ｃには、孔５ａと空間部３ａを通して表示体４の形成が可能であると共に、切り目部１３に沿って、貼着材３を伴ってシート形成部１２ａが大判剥離シート５から剥がされた後、表示体４が形成されたシート形成部１２ａは、後述するように、貼着材３によって物品Ａに貼着可能となっている。
【００６８】
なお、この実施例においても、ここでは図示しないが、大判剥離シート５の下面には塞ぎシートが貼着されて、露出下面１２ｃと共に孔５ａを塞ぐようにしても良い。
【００６９】
また、図２１〜図２３は本発明のラベルの第８実施例を示し、この第８実施例の構成を説明すると、ラベル１は、透明な帯状シート２１を備え、この帯状シート２１は、シート２を形成するための一列状態に配置された複数のシート形成部２２ａと、このシート形成部２２ａの外周に設けられた余裕代部２２ｂを有し、帯状シート２１の下面には、それぞれのシート形成部２２ａの下面中央部に設けられた露出下面２２ｃと対向する位置に空間部３ａを有した状態で、露出下面２２ｃを除く箇所に貼着材３が設けられると共に、貼着材３の下面には、それぞれの空間部３ａと対向する孔５ａを有した状態で、帯状の剥離シート５が貼着され、帯状シート２１と貼着材３には、シート形成部２２ａの外周に沿って切り目部１３が設けられ、シート形成部２２ａは、貼着材３を伴って、切り目部１３に沿って帯状剥離シート５から剥がし可能となっている。
【００７０】
その他の構成は、上記第７実施例と同様であるので、同一部品に同一番号を付し、ここではその説明を省略する。
そして、この第８実施例では前記第７実施例と同様に、シート形成部２２ａの露出下面２２ｃには、孔５ａと空間部３ａを通して表示体４の形成が可能であると共に、切り目部１３に沿って、貼着材３を伴ってシート形成部２２ａが帯状剥離シート５から剥がされた後、表示体４が形成されたシート形成部２２ａは、後述するように、貼着材３によって物品Ａに貼着可能となっている。
【００７１】
なお、この実施例においても、ここでは図示しないが、帯状剥離シート５の下面には塞ぎシートが貼着されて、露出下面２２ｃと共に孔５ａを塞ぐようにしても良く、また、この第８実施例では、帯状シート２１が渦巻き状に巻かれた状態で、搬送されるようになっており、従って、塞ぎシートを無くしても良い。
【００７２】
また、上記実施例における表示体４は、例えば、ロット番号や製品番号等のように、群としての表示や個々の表示等が自由に対応できて、小ロットや少数製品に適用して好適である。
【００７３】
次に、本発明のラベルの貼着方法を説明すると、図２４，図２５は、本発明の第１実施例（図１〜図３に示すラベル）におけるラベル１の貼着方法を示し、この第１実施例のラベル１の貼着方法は、ラベル１と、このラベル１が貼着される物品Ａとを備え、シート２の露出下面２ａには、貼着材３の空間部３ａを通して表示体４が形成され、しかる後、ラベル１が貼着材３によって物品Ａに貼着されるものである。
【００７４】
そして、ラベル１が物品Ａに貼着された際、貼着材３の下面が物品Ａの表面に接触して、表示体４が形成されたシート２の露出下面２ａは、物品Ａの表面から離れた状態となっている。
【００７５】
次に、ここでは図示しないが、図４，図５に示す本発明の第２実施例におけるラベル１の貼着方法を説明すると、ラベル１と、このラベル１が貼着される物品Ａとを備え、シート２の露出下面２ａには、剥離シート５の孔５ａと貼着材３の空間部３ａを通して表示体４が形成され、しかる後、シート２が貼着材３を伴って剥離シート５から剥がされた後、ラベル１が貼着材３によって物品Ａに貼着されるものである。
【００７６】
次に、ここでは図示しないが、図４，図５に示す本発明の第２実施例において、剥離シート５の下面に塞ぎシートを貼着したものにおけるラベル１の貼着方法を説明すると、先ず、塞ぎシートが剥離シート５から剥がされた後、シート２の露出下面２ａには、剥離シート５の孔５ａと貼着材３の空間部３ａを通して表示体４が形成され、しかる後、シート２が貼着材３を伴って剥離シート５から剥がされた後、ラベル１が貼着材３によって物品Ａに貼着されるものである。
【００７７】
次に、ここでは図示しないが、図６〜図１４に示す本発明の第３〜第５実施例におけるラベル１の貼着方法を説明すると、ラベル１と、このラベル１が貼着される物品Ａとを備え、シート２の露出下面２ａには、剥離シート５の孔５ａと貼着材３の空間部３ａを通して表示体４が形成され、しかる後、シート２が貼着材３を伴って剥離シート５から剥がされた後、ラベル１が貼着材３によって物品Ａに貼着されるものである。
【００７８】
次に、ここでは図示しないが、図６〜図１４に示す本発明の第３〜第５実施例において、剥離シート５の下面に塞ぎシートを貼着したものにおけるラベル１の貼着方法を説明すると、先ず、塞ぎシートが剥離シート５から剥がされた後、シート２の露出下面２ａには、剥離シート５の孔５ａと貼着材３の空間部３ａを通して表示体４が形成され、しかる後、シート２が貼着材３を伴って剥離シート５から剥がされた後、ラベル１が貼着材３によって物品Ａに貼着されるものである。
【００７９】
次に、ここでは図示しないが、図１５〜図２３に示す本発明の第６〜第８実施例におけるラベル１の貼着方法を説明すると、シート形成部１２ａ、２２ａの露出下面１２ｃ、２２ｃには、剥離シート５の孔５ａと貼着材３の空間部３ａを通して表示体４が形成され、しかる後、シート形成部１２ａ、２２ａが貼着材３を伴って、切り目部１３に沿って剥離シート５から剥がされた後、シート形成部１２ａ、２２ａからなるラベル１が貼着材３によって物品Ａに貼着されるものである。
【００８０】
次に、ここでは図示しないが、図１５〜図２３に示す本発明の第６〜第８実施例において、剥離シート５の下面に塞ぎシートを貼着したものにおけるラベル１の貼着方法を説明すると、先ず、塞ぎシートが剥離シート５から剥がされた後、シート形成部１２ａ、２２ａの露出下面１２ｃ、２２ｃには、剥離シート５の孔５ａと貼着材３の空間部３ａを通して表示体４が形成され、しかる後、シート形成部１２ａ、２２ａが貼着材３を伴って、切り目部１３に沿って剥離シート５から剥がされた後、ラベル１が貼着材３によって物品Ａに貼着されるものである。
【図面の簡単な説明】
【００８１】
【図１】本発明のラベルの第１実施例を示す平面図。
【図２】本発明のラベルの第１実施例を示す下面図。
【図３】本発明のラベルの第１実施例に係る断面図。
【図４】本発明のラベルの第２実施例を示す下面図。
【図５】本発明のラベルの第２実施例に係る断面図。
【図６】本発明のラベルの第３実施例を示す平面図。
【図７】本発明のラベルの第３実施例を示す下面図。
【図８】本発明のラベルの第３実施例に係る断面図。
【図９】本発明のラベルの第４実施例を示す平面図。
【図１０】本発明のラベルの第４実施例を示す下面図。
【図１１】本発明のラベルの第４実施例に係る断面図。
【図１２】本発明のラベルの第５実施例を示す平面図。
【図１３】本発明のラベルの第５実施例を示す下面図。
【図１４】本発明のラベルの第５実施例に係る断面図。
【図１５】本発明のラベルの第６実施例を示す平面図。
【図１６】本発明のラベルの第６実施例を示す下面図。
【図１７】本発明のラベルの第６実施例に係る断面図。
【図１８】本発明のラベルの第７実施例を示す平面図。
【図１９】本発明のラベルの第７実施例を示す下面図。
【図２０】本発明のラベルの第７実施例に係る断面図。
【図２１】本発明のラベルの第８実施例を示す平面図。
【図２２】本発明のラベルの第８実施例を示す下面図。
【図２３】本発明のラベルの第８実施例に係る断面図。
【図２４】本発明のラベルの貼着方法を示す要部の平面図。
【図２５】本発明のラベルの貼着方法を示す要部の断面図。
【図２６】従来のラベルの断面図。
【図２７】従来のラベルの貼着方法を示す断面図。
【符号の説明】
【００８２】
１：ラベル
２：シート
２ａ：露出下面
３：貼着材
３ａ：空間部
４：表示体
５：剥離シート
５ａ：孔
５ｂ：余裕代部
Ａ：物品
１１：大判シート
１２ａ：シート形成部
１２ｂ：余裕代部
１２ｃ：露出下面
１３：切り目部
２１：帯状シート
２２ａ：シート形成部
２２ｂ：余裕代部
２２ｃ：露出下面
【図１】
2006039309.tif 000003
【図２】
2006039309.tif 000004
【図３】
2006039309.tif 000005
【図４】
2006039309.tif 000006
【図５】
2006039309.tif 000007
【図６】
2006039309.tif 000008
【図７】
2006039309.tif 000009
【図８】
2006039309.tif 000010
【図９】
2006039309.tif 000011
【図１０】
2006039309.tif 000012
【図１１】
2006039309.tif 000013
【図１２】
2006039309.tif 000014
【図１３】
2006039309.tif 000015
【図１４】
2006039309.tif 000016
【図１５】
2006039309.tif 000017
【図１６】
2006039309.tif 000018
【図１７】
2006039309.tif 000019
【図１８】
2006039309.tif 000020
【図１９】
2006039309.tif 000021
【図２０】
2006039309.tif 000022
【図２１】
2006039309.tif 000023
【図２２】
2006039309.tif 000024
【図２３】
2006039309.tif 000025
【図２４】
2006039309.tif 000026
【図２５】
2006039309.tif 000027
【図２６】
2006039309.tif 000028
【図２７】
2006039309.tif 000029